(57)【要約】【課題】ＥＤＩＤＲＯＭのＥＤＩＤに不具合がある場合に、セットの分解などを伴わずにＥＤＩＤ書換作業を行う。【解決手段】ライトプロテクト端子Ｃ２にはハイレベルの電圧ラインに接続されている抵抗Ｒからハイレベルの電圧（Ｈ）が供給されてＥＤＩＤ書換不可状態になっている。ここでマイコン１０ｆが操作入力部１０ｉから上記所定の操作入力信号を受け付けると、ＧＰＩＯ端子Ｃ１を介してライトプロテクト端子Ｃ２にローレベルの電圧信号を出力してＥＤＩＤＲＯＭ１０ｇをＥＤＩＤ書換許可状態にし、ＨＤＭＩコネクタ１０ｈのＤＤＣ端子Ｃ４を介して入力されるＥＤＩＤデータによりＥＤＩＤＲＯＭ１０ｇのＥＤＩＤが書き換えられる。【選択図】図２
2008109219.tif 000002
【特許請求の範囲】
【請求項１】
入力されるデジタル映像信号にデジタル処理を施し、該デジタル映像信号に基づく映像を画面に表示するテレビジョンにおいて、
ＧＰＩＯを有し、駆動電圧が供給されなくなると該ＧＰＩＯがハイインピーダンスになるマイコンと、
ＴＭＤＳデータを入力可能なＴＭＤＳ端子とＥＤＩＤを送受信可能なＤＤＣ端子とを有するＨＤＭＩコネクタと、
上記ＤＤＣ端子に接続される端子および、抵抗を介してハイレベルの電圧ラインと上記ＧＰＩＯとに接続されているライトプロテクト端子、を備えつつ、上記ＥＤＩＤが格納された不揮発性の記憶媒体と、
ユーザの所定の操作入力を受け付けて該操作入力に対応する所定の電圧信号を上記マイコンに入力する操作入力部と、
上記ＴＭＤＳデータを受け取って映像信号を再生するＴＭＤＳレシーバと、
上記ＴＭＤＳレシーバから上記映像信号を受け取って該映像信号に基づくディスプレイ駆動信号を生成するビデオデコーダと、
上記ディスプレイ駆動信号に基づく映像を画面に表示するディスプレイと、
を備え、
上記記憶媒体は、上記ライトプロテクト端子にハイレベルの電圧が印加されると上記ＥＤＩＤの書換不可となり、上記ライトプロテクト端子にローレベルの電圧が印加されると上記ＥＤＩＤの書換可能となり、
上記マイコンは、上記所定の電圧信号が入力されると上記ＧＰＩＯからローレベルの電圧を出力して上記ライトプロテクト端子にローレベルの電圧を印加し、上記記憶媒体のＥＤＩＤを上記ＤＤＣ端子から入力されるＥＤＩＤにより書換可能とする
ことを特徴とするテレビジョン。
【請求項２】
駆動電圧が供給されなくなるとハイインピーダンスとなる第一端子を有する制御ＩＣと、
ＤＤＣ用の接続端子を有するコネクタと、
ＥＤＩＤが格納されて第二端子と第三端子を備える不揮発性の記憶媒体と、
上記第一端子と上記第二端子とを接続する信号線と、
上記信号線に書換不可信号を出力する書換不可信号出力回路と、
上記制御ＩＣに所定の操作入力信号を入力する操作入力部と、
を備え、
上記記憶媒体は、上記第二端子から書換不可信号が入力されると書換不可状態となり、上記第二端子より書換許可信号が入力されると書換許可状態となり、上記第三端子は上記コネクタの接続端子と接続されており、
上記制御ＩＣは、上記所定の操作入力信号を受け付けると、上記第一端子を介して上記第二端子に書換許可信号を出力することにより、上記記憶媒体を書換許可状態にすることを特徴とするＥＤＩＤ書換回路。
【請求項３】
上記コネクタはＨＤＭＩコネクタであることを特徴とする上記請求項２に記載のＥＤＩＤ書換回路。
【請求項４】
上記コネクタはＤＶＩコネクタであることを特徴とする上記請求項２に記載のＥＤＩＤ書換回路。
【請求項５】
上記コネクタはアナログＲＧＢコネクタであることを特徴とする上記請求項２に記載のＥＤＩＤ書換回路。
【請求項６】
上記第一端子は、ＧＰＩＯであることを特徴とする上記請求項２〜請求項５のいずれか一項に記載のＥＤＩＤ書換回路。
【請求項７】
上記書換許可信号はグランド電圧であり、上記書換不可信号は上記記憶媒体がハイレベルと判断する電圧信号であることを特徴とする上記請求項２〜請求項６のいずれか一項に記載のＥＤＩＤ書換回路。
【請求項８】
上記書換不可信号出力回路は、上記信号線を抵抗を介してハイレベルの電圧ラインに接続する回路であることを特徴とする上記請求項２〜請求項７のいずれかに記載のＥＤＩＤ書換回路。
【発明の詳細な説明】
【技術分野】
【０００１】
本発明は、テレビジョンおよびＥＤＩＤ書換回路に関する。
【背景技術】
【０００２】
近年、映像を表示するディスプレイの高精細化に伴い、このような高精細なディスプレイに対応するために映像信号の記録媒体には高精細な画像情報が記録されるようになっている。一方で、高精細な表示のできない従来のディスプレイも未だ多く使用されている。従って、記録媒体から映像信号を読み取って出力する機器（Source）は、映像信号を表示する機器（Sink）とのプラグ＆ディスプレイ時に、このSinkのＥＤＩＤ（Extended Display Identification Data）を取得するようになっている。
【０００３】
このＥＤＩＤは、各Sink固有のＩＤであって正常に動作していれば書き換える必要は発生せず、書き換えやすさは考慮されていなかった。以下、図３と図４を参照して従来の映像表示機器におけるＥＤＩＤ書換について説明する。図３は従来のＥＤＩＤ書換を説明するブロック図、図４は従来のＥＤＩＤ書換を説明する模式図である。図４には、ＥＤＩＤ書換回路を有する電気電子機器としてテレビジョンを例にとって示してある。
【０００４】
従来において、テレビジョン１に備わるＥＤＩＤＲＯＭ２は、ハイレベルの電圧ラインと抵抗３を介して接続されるライトプロテクト端子２ａと、ＩＩＣバスに接続されるＤＤＣ端子２ｂとを備える。ライトプロテクト端子２ａは、ジャンパ端子４を介してグランドと接続されており、ジャンパをジャンパ端子４に取り付けることによりライトプロテクト端子２ａにもグランド電位（ローレベルの電位）が供給される。ＥＤＩＤＲＯＭ２は、ライトプロテクト端子２ａにハイレベルの電圧が印加されているとＥＤＩＤ書換不可状態となり、ライトプロテクト端子２ａにローレベルの電位が印加されているとＥＤＩＤ書換不可状態となる。また、ＩＩＣバスにはコネクタ１ａが接続されており、該コネクタ１ａに所定のＥＤＩＤ書換機器５を接続して所定のＥＤＩＤ書換プログラムを実行することにより、ＥＤＩＤＲＯＭ２のＥＤＩＤを任意のＥＤＩＤに書き換えることが可能になっている。ＥＤＩＤＲＯＭ２には、通常は製品出荷時に正しいＥＤＩＤが書き込まれているため、ジャンパは接続されおらず、ＥＤＩＤ書換不可状態で出荷される。
【０００５】
しかしながら、製品出荷前の検査でＥＤＩＤが正しく書き込まれていないことや、何らかの異常により出荷後にＥＤＩＤに不具合が生ずることが稀にある。このような場合にＥＤＩＤＲＯＭ２のＥＤＩＤを書換を行う手順を、図４を参照して説明する。ＥＤＩＤ書換を行うためには、まずフロントキャビネット１ｂにリアキャビネット１ｃを固定していたネジを取り外してリアキャビネット１ｃを取り外し、ＥＤＩＤＲＯＭ２の搭載された基板を外部に露見させる。
次に、ジャンパ端子４にジャンパを接続してライトプロテクト端子２ａにローレベルの電位を供給して、ＥＩＤＩＲＯＭ２を書換許可状態にする。そしてコネクタ１ａに所定のケーブルを介してＥＤＩＤ書換機器としてのＰＣ５を接続して、ＰＣ５でＥＤＩＤ書換プログラムを実行し、ＥＤＩＤＲＯＭ２に正しいＥＤＩＤを書き込む。然る後に所定のケーブルとジャンパとを取り外してリアキャビネット１ｃをフロントキャビネット１ｂにネジ止めしてＥＤＩＤ書換を終了する。
【０００６】
上述した技術以外に、ＥＤＩＤを書き換える技術として以下のものが知られている。
即ち、特許文献１記載の技術では、ＥＤＩＤＲＯＭを有するモニターに所定のＥＤＩＤ書換プログラムを実行可能なＣＰＵを備えさせ、外部のコンピュータからＵＳＢ経由でＥＤＩＤ書換信号をＣＰＵに入力してＣＰＵにＥＤＩＤを書換させている。また特許文献１には、バイパスの通信ラインであるＤＤＣ／ＣＩラインをＤＤＣラインに接続したコンピュータにより、該ＤＤＣ／ＣＩライン経由でＥＤＩＤ書換信号をＥＤＩＤに入力する構成についても記載されている。
特許文献２には、出荷時にＥＤＩＤの格納されないＤＤＣ対応のＥＥＰＲＯＭと、各種ＥＤＩＤの格納されたＥＥＰＲＯＭとを備え、ユーザに選択されたＥＤＩＤをＤＤＣ対応のＥＥＰＲＯＭに書き込むことについて記載されている。
【特許文献１】特開２００５−８４８８１号公報
【特許文献２】特開２００４−１０２０６７号公報
【発明の開示】
【発明が解決しようとする課題】
【０００７】
しかしながらこのようにキャビネットを開けてジャンパやケーブルを接続しての作業は手間がかかり作業性が悪かったであった。また、特許文献１の技術では、ＵＳＢ経由で書換を行うとモニタ側にＵＳＢ端子、ＣＰＵ、専用のプログラム等を備えさせる必要があり、コストアップが避けられなかった。また、ＤＤＣ／ＣＩラインをＤＤＣラインにバイパスさせる構成を採用すると、ＤＤＣラインを伝送する信号に歪みが生じる可能性があり、ＨＤＭＩコンプライアンステストを満たさない可能性があった。また、特許文献２の技術は、各種ＥＤＩＤの格納されたＥＥＰＲＯＭのデータにそもそも不具合がある場合は、ＤＤＣ対応ＥＥＰＲＯＭに書き込まれるＥＤＩＤも不具合があり、出荷前や出荷後のＥＤＩＤ不具合に対応するものではなかった。
【０００８】
本発明は、上記課題に鑑みてなされたもので、コストアップを避けつつ、ＥＤＩＤＲＯＭのＥＤＩＤに不具合がある場合に行われるＥＤＩＤ書換作業をセットの分解などを伴わずに行うことで作業性を向上させること、ＤＤＣラインの伝送品質を保つこと、が可能なテレビジョンおよびＥＤＩＤ書換回路の提供を目的とする。
【課題を解決するための手段】
【０００９】
上記課題を解決するために、本発明のＥＤＩＤ書換回路では、駆動電圧が供給されなくなるとハイインピーダンスとなる第一端子を有する制御ＩＣと、ＤＤＣ用の接続端子を有するコネクタと、ＥＤＩＤが格納されて第二端子と第三端子を備える不揮発性の記憶媒体と、上記第一端子と上記第二端子とを接続する信号線と、上記信号線に書換不可信号を出力する書換不可信号出力回路と、上記制御ＩＣに所定の操作入力信号を入力する操作入力部と、を備え、上記記憶媒体は、上記第二端子から書換不可信号入力されると書換不可状態となり、上記第二端子より書換許可信号が入力されると書換許可状態となり、上記第三端子は上記コネクタの接続端子と接続されており、上記制御ＩＣは、上記所定の操作入力信号を受け付けると、上記第一端子を介して上記第二端子に書換許可信号を出力することにより、上記記憶媒体を書換許可状態にすること構成としてある。
【００１０】
この構成により、上記第三端子と上記ＤＤＣ用の接続端子とも接続されている。また、、上記第一端子と上記第二端子とは上記信号線により接続され、該信号線には上記書換不可信号出力回路から常時書換不可信号が入力されており、該書換不可信号を上記第二端子を介して入力される上記記憶媒体は上記ＥＤＩＤを書換の出来ない書換不可状態、即ち読み取り専用となる。一方、上記操作入力部からの所定の操作入力信号を入力された上記制御ＩＣが上記第一端子に書換許可信号を出力すると、上記信号線を介して上記第二端子に書換許可信号が入力される。すると、上記記憶媒体は上記第三端子を介しての上記ＥＤＩＤの書換を可能とする状態となる。従って、上記コネクタに所定のケーブルを接続した外部機器からＥＤＩＤの書換が可能となる。
【００１１】
この書換許可信号が制御ＩＣから出力されるとき、書換不可信号出力回路は書換拒否信号の出力を停止しても良いし、上記記憶媒体は上記書換拒否信号の入力に関わらず上記書換許可信号が入力されると書換許可状態となる構成としても構わない。また、ハイインピーダンスになるとは、回路の出力が電気的に接続されていないような状態になることであり、上記信号線は上記第一端子と接続されていないと見做される状態になる。即ち、上記信号線には上記書換不可信号が印加された状態となる。
【００１２】
以上の構成により、上記操作入力部から所定の操作入力がなされる以前は、上記記憶媒体に格納されたＥＤＩＤは書換不可状態であるため誤って書き換えられることが無い。一方、上記操作入力部から所定の操作入力がなされると、上記コネクタを介してのＥＤＩＤを書換可能にするため、該ＥＤＩＤ書換回路を有する電気電子機器の筐体を取り外して該ＥＤＩＤ書換回路を露見させることなく、ＥＤＩＤの書換がが可能となる。
【００１３】
そして、上記コネクタとしてはＤＤＣを伝送する端子であれば様々なものが採用可能であり、例えばＨＤＭＩコネクタ、ＤＶＩコネクタ、アナログＲＧＢコネクタ等が採用可能である。特にＨＤＭＩやＤＶＩのように様々な映像表示装置や映像処理装置に標準装備されつつあるコネクタを採用することで、多くの利用者に対応可能となる。また、アナログＲＧＢのように従来から使用されていたコネクタを採用することで、該コネクタが採用された従来品を使用し続けているユーザにも対応可能となる。
【００１４】
さらに、上記第一端子はＧＰＩＯ（汎用入出力端子）であると好適である。即ち、新たに専用の制御ＩＣを使用する必要が無く、また多くの制御ＩＣにおいてＧＰＩＯには未使用のものが存在するので、これらを利用することにより簡単な回路設計の変更で本発明を実施できる。即ちコストアップや開発工程の増加を最小限に抑えることが出来る。
【００１５】
さらに、上記書換許可信号はグランド電圧であり、上記書換不可信号は上記記憶媒体がハイレベルと判断する電圧信号である構成としてもよい。このように構成すると、上記書換不可信号出力回路が書換不可信号を入力しつつ上記制御ＩＣが書換許可信号を入力しないと上記記憶媒体にはハイレベルの電圧信号が入力されるため書換不可状態となり、上記書換不可信号出力回路が書換不可信号を入力しつつ上記制御ＩＣが書換許可信号を入力すると上記記憶媒体にはローレベルのグランド電圧が入力されるため書換許可状態になる。さらに制御素子が書換許可信号の出力を停止すると上記記憶媒体には再び書換不可信号が入力されるようになるため書換不可状態に戻る。即ち、書換不可信号出力回路は書換不可信号の出力を切り換える構成を必要とせず、書換不可信号出力回路を簡易なもので実現可能となる。具体的な構成例としては、上記書換不可信号入力回路は、上記信号線を抵抗を介してハイレベルの電圧ラインに接続する回路などが考えられる。
【００１６】
更に、本発明を適用したより具体的な構成例として、入力されるデジタル映像信号にデジタル処理を施し、該デジタル映像信号に基づく映像を画面に表示するテレビジョンにおいて、ＧＰＩＯを有し、駆動電圧が供給されなくなると該ＧＰＩＯがハイインピーダンスになるマイコンと、ＴＭＤＳデータを入力可能なＴＭＤＳ端子とＥＤＩＤを送受信可能なＤＤＣ端子とを有するＨＤＭＩコネクタと、上記ＤＤＣ端子に接続される端子および、抵抗を介してハイレベルの電圧ラインと上記ＧＰＩＯとに接続されているライトプロテクト端子、を備えつつ、上記ＥＤＩＤが格納された不揮発性の記憶媒体と、ユーザの所定の操作入力を受け付けて該操作入力に対応する所定の電圧信号を上記マイコンに入力する操作入力部と、上記ＴＭＤＳデータを受け取って映像信号を再生するＴＭＤＳレシーバと、上記ＴＭＤＳレシーバから上記映像信号を受け取って該映像信号に基づくディスプレイ駆動信号を生成するビデオデコーダと、上記ディスプレイ駆動信号に基づく映像を画面に表示するディスプレイと、を備え、上記記憶媒体は、上記ライトプロテクト端子にハイレベルの電圧が印加されると上記ＥＤＩＤの書換不可となり、上記ライトプロテクト端子にローレベルの電圧が印加されると上記ＥＤＩＤの書換可能となり、上記マイコンは、上記所定の電圧信号が入力されると上記ＧＰＩＯからローレベルの電圧を出力して上記ライトプロテクト端子にローレベルの電圧を印加し、上記記憶媒体のＥＤＩＤを上記ＤＤＣ端子から入力されるＥＤＩＤにより書換可能とする構成としてもよい。
【発明の効果】
【００１７】
以上説明したように本発明によれば、セットを分解してＥＤＩＤ書換回路を露見させたりすることなくＥＤＩＤの書換が可能なＥＤＩＤ書換回路を提供することができる。
【００１８】
また請求項３、請求項４にかかる発明によれば、多くの利用者に対応可能となる。
さらに請求項５にかかる発明によれば、従来から使用されていたアナログＲＧＢを採用された従来品を使用し続けているユーザにも対応可能となる。
また請求項６にかかる発明によれば、コストアップや開発工程の増加を最小限に抑えることが出来る。
そして請求項７、請求項８にかかる発明によれば、簡易な回路の追加で本発明を実現可能となる
さらに請求項１のような、より具体的な構成において、上述した請求項２〜請求項４および請求項６〜請求項８の各発明と同様の効果を奏することはいうまでもない。
【発明を実施するための最良の形態】
【００１９】
以下、下記の順序に従って本発明の実施形態を説明する。
（１）テレビジョンと映像信号再生装置の概略構成：
（２）ＥＤＩＤ書換回路：
（３）まとめ：
【００２０】
（１）テレビジョンと映像信号再生装置の構成： 
以下、本発明をテレビジョンに適用した例について図１を参照して具体的に説明する。図１はテレビジョン１０と映像信号再生装置２０の概略構成を示すブロック図である。本実施形態ではテレビジョンを例にとって説明するが、この実施形態に限定されるものではなく、プロジェクタやＰＣ用ディスプレイ等、本発明の要旨を逸脱しない範囲で種々の変形実施の形態が可能である。また、ＤＤＣを有する端子としては、ＨＤＭＩ、ＤＶＩ、アナログＲＧＢ、ＭＤＲ（ミニ・デルタ・リボン）等が考えられる。
【００２１】
また、映像信号再生装置とは、例えばＤＶＤやＨＤＤ（HardDisk Drive）やビデオテープ等の記録媒体から記録された情報を読み取り取得したり、テレビ放送信号や電波や赤外線などの無線通信回線を通して伝送される情報を受信して取得したりして、映像信号や音声信号を再生して出力するコネクタを有する装置である。この出力するコネクタにＤＤＣ（Display Data Channel）を有するものであれば、ＰＣ（Personal Computer）、プレイステーション３（登録商標）、ＤＶＤ再生装置、ＨＤＤ再生装置、ビデオテープ再生装置等いかなるものであっても構わない。無論、録画機能を有するものであっても構わない。
【００２２】
本発明を適用したSinkとしてのテレビジョン１０と、Sourceとしての映像信号再生装置２０とは、双方とも映像信号のデジタル伝送の規格であるＨＤＭＩに対応しており、映像信号再生装置２０のＨＤＭＩコネクタ２０ｄとテレビジョン１０のＨＤＭＩコネクタ１０ｈとはＨＤＭＩケーブルにより双方向制御可能に接続されている。ＨＤＭＩにはＤＤＣの採用が必須となっており、ＨＤＭＩコネクタ１０ｈ、２０ｄには映像音声信号としてのＴＭＤＳデータが入出力されるＴＭＤＳ端子に加えて、ＥＤＩＤデータ送受信用のＤＤＣ端子（ＤＤＣデータ端子およびＤＤＣクロック端子）が設けられている。
【００２３】
このテレビジョン１０は、ＴＭＤＳレシーバ１０ａと、ビデオデコーダ１０ｂと、ディスプレイ１０ｃと、オーディオデコーダ１０ｄと、スピーカ１０ｅと、ＥＤＩＤＲＯＭ１０ｇと、マイコン１０ｆと、操作入力部１０ｉと、ＨＤＭＩコネクタ１０ｈと、チューナ１０ｋと、を含んで構成される。これらは、ＩＩＣバス１１ｊを介してそれぞれ互いに通信可能に接続されている。また、図示しない電源回路から駆動電圧が供給されているものとする。このＨＤＭＩコネクタ１０ｈがＤＤＣ用の接続端子を有するコネクタを構成する。
【００２４】
チューナ１０ｋは、テレビ放送信号の入力源としてＵ／Ｖアンテナを接続可能であり、マイコン１０ｆの制御に従ってテレビ放送帯域に対応した所望周波数の信号に同調しつつ受信するとともに、受信した信号から所要の信号だけを選択して高周波増幅し、中間周波信号に変換して出力する。チューナ１０ｋが受信するテレビ放送信号は、地上波アナログ、地上波デジタル、ケーブルテレビ放送、衛星放送等、いかなるテレビ放送形式であってもよく、これらの組合せを受信可能なものであってもよい。
【００２５】
ＴＭＤＳレシーバ１０ａは、ＨＤＭＩコネクタを通して映像信号再生装置２０から入力されるＴＭＤＳ信号変換方式によって符号化されたデジタル信号を受け取る。そして、ＴＭＤＳ信号変換方式によってデジタル映像信号、デジタル音声信号、水平同期信号、及び垂直同期信号を復号化して、ビデオデコーダ１０ｂ、オーディオデコーダ１０ｄおよびＩＩＣバス１０ｊに出力する。ここで、ＴＭＤＳ（Transmission Minimized Differential Signaling）信号変換方式とは、送信側で並列データを高速直列データに変調して伝送すると、受信側でそのデータを受けて復調する技術である。
【００２６】
ＴＭＤＳレシーバ１０ａで復号化されたデジタル映像信号は、ビデオデコーダ１０ｂに入力される。ビデオデコーダ１０ｂは、入力されたデジタル映像信号にスケーリング処理や各種画質調整処理を施した後、パネル駆動信号を生成してディスプレイ１０ｃに出力する。ディスプレイ１０ｃは入力されるパネル駆動信号（ディスプレイ駆動信号）に基づいて表示画素を駆動することにより画面に映像を表示する。
【００２７】
一方、ＴＭＤＳレシーバ１０ａで復号化されたデジタル音声信号は、オーディオデコーダ１０ｄに入力される。オーディオデコーダ１０ｄは、デジタル音声信号からアナログ音声信号を再生するとともに音声信号に所定の信号増幅を行ってスピーカに出力し、音声を再生させる。
【００２８】
ＥＤＩＤＲＯＭ１０ｇは、例えばＥＥＰＲＯＭやフラッシュメモリ等の書換可能な不揮発性のメモリで実現される。無論、不揮発性の記憶媒体であればＲＡＭであってもよく、半導体メモリや有機メモリや磁気記憶装置等、現在および将来において実現されうるいかなる記憶媒体であっても採用可能である。ＥＤＩＤＲＯＭ１０ｇには、ＥＤＩＤが記憶されており、映像信号再生装置２０からＨＤＭＩコネクタ１０ｈのＤＤＣとＩＩＣバス１０ｊとを介してＥＤＩＤを要求されると、同様にＩＩＣバス１０ｊとＨＤＭＩコネクタ１０ｈのＤＤＣとを介してＥＤＩＤの情報を映像信号再生装置２０に送出する。
【００２９】
マイコン１０ｆは、内蔵するＣＰＵとＲＯＭとＲＡＭとからなるプログラム実行環境を備えており、ＲＯＭに格納された各種プログラムをＲＡＭをワークエリアとしつつＣＰＵにて演算を行ってテレビジョン１０全体の制御を行う。また、マイコン１０ｆは汎用の入出力端子であるＧＰＩＯ端子や操作入力信号の入力される端子等を含む複数の端子を備えており、これらの端子から入力される電圧信号をプログラムが受け付けて所定の処理を実行する。例えば、ユーザが操作入力部１０ｉにて所定の操作入力を行うと、この操作入力に対応する所定の電圧信号を生成してマイコン１０ｆに入力する。するとマイコン１０ｆは、操作入力部１０ｉから電圧信号を受け取ると、この電圧信号に対応付けられたプログラムを実行し、この電圧信号に対応付けられた制御信号を出力する。このマイコン１０ｆが制御ＩＣを構成する。
【００３０】
映像信号再生装置２０は、信号再生部２０ａとＡＶエンコーダ２０ｂとＴＭＤＳトランスミッタ２０ｃとマイコン２０ｅとを含んで構成される。信号再生部２０ａは、取得した情報から映像信号や音声信号を再生してＡＶエンコーダ２０ｂに出力する。ＡＶエンコーダ２０ｂは、映像信号と音声信号と所定の情報とをＴＭＤＳ信号変換方式によって符号化してＴＭＤＳトランスミッタ２０ｃに出力する。ＴＭＤＳトランスミッタ２０ｃは符号化された情報を受け取ると、ＨＤＭＩ規格に基づいたデジタル信号に変換してＨＤＭＩコネクタ２０ｄから送出する。
【００３１】
マイコン２０ｅはＨＤＭＩケーブル３０により、テレビジョン１０と映像信号再生装置２０との接続の有無を検出している。具体的には、ＨＤＭＩケーブル３０にはＨＰＤ（Hot Plug Detector）があり、マイコン２０ｅはこのＨＰＤから接続の有無の情報を受け取る。マイコン２０ｅはこのＨＰＤから受け取った接続の有無の情報に基づいてＨＤＭＩコネクタ２０ｄからの出力するか否かを判断し、接続がある場合はＡＶエンコーダ２０ｂやＴＭＤＳトランスミッタ２０ｃを制御して符号化とデジタル変換とを行わせてＨＤＭＩコネクタ２０ｄからの出力を行わせ、接続が無い場合はＡＶエンコーダ２０ｂやＴＭＤＳトランスミッタ２０ｃを制御して符号化とデジタル変換とを停止させてＨＤＭＩコネクタ２０ｄからの出力を停止させる。
【００３２】
（２）ＥＤＩＤ書換回路： 
次に、図２を参照してＥＤＩＤ書換回路の詳細について説明する。図２には本発明のＥＤＩＤ書換回路とＥＤＩＤＲＯＭを書き換えるＥＤＩＤ書換機器との接続関係をブロック図にて示してある。
【００３３】
図２において、ＥＤＩＤ書換回路５０はＥＤＩＤＲＯＭ１０ｇと、マイコン１０ｆと、ＥＤＩＤＲＯＭ１０ｇのライトプロテクト端子Ｃ２（第二端子）と、マイコン１０ｆのＧＰＩＯ端子Ｃ１（第一端子）と、ライトプロテクト端子Ｃ２とＧＰＩＯ端子Ｃ１とを接続する信号線Ｌ１と、一端がハイレベル電圧ラインに接続されつつ他端が信号線Ｌ１に接続された抵抗Ｒと、ＥＤＩＤＲＯＭ１０ｇのＤＤＣ端子Ｃ４と、ＨＤＭＩコネクタのＤＤＣ端子Ｃ３（第三端子）と、ＤＤＣ端子Ｃ３とＤＤＣ端子Ｃ４とを接続する信号線Ｌ２と、マイコン１０ｆに接続された操作入力部１０ｉと、を含んで構成される。
【００３４】
ここで、信号線Ｌ２は、クロックラインとデータラインとで構成されるシリアルバス通信線であり、本実施形態においては、ＩＩＣバス１０ｊ、とＨＤＭＩケーブルのＤＤＣクロックラインおよびＤＤＣデータラインから構成される。また、信号線Ｌ１は抵抗Ｒを介して所定のハイレベル電圧ラインに接続されており、この接続により信号線Ｌ１もハイレベルの電圧が供給されるように抵抗Ｒの抵抗値が選択される。即ち、信号線Ｌ１にこの抵抗Ｒを介して供給される電圧以外の電圧が供給されるまでは、ＥＤＩＤＲＯＭ１０ｇのライトプロテクト端子Ｃ２にはハイレベルの電圧が印加されることとなる。このハイレベル電圧ラインに接続された抵抗Ｒが書換不可信号出力回路を構成する。
【００３５】
操作入力部１０ｉは、例えばディップスイッチなどを備えており、該ディップスイッチを切り換えることによりマイコン１０ｆに所定の電圧信号を出力可能になっている。無論、テレビジョン１０がＯＳＤ（オンスクリーンディスプレイ）回路を備えてＯＳＤ表示を行い、このＯＳＤ表示に従って操作入力を行うことによりマイコン１０ｆに操作入力を受け付けさせる構成としても構わない。
マイコン１０ｆは、操作入力部１０ｉから所定の電圧信号が入力されない間は、ＧＰＩＯ端子Ｃ１を制御してＧＰＩＯ端子Ｃ１を信号線Ｌ１から電気的に絶縁させるか、もしくはハイレベルの電圧信号を信号線Ｌ１に出力する。またマイコン１０ｆに駆動電圧が入力されない間は、ＧＰＩＯ端子Ｃ１とマイコン１０ｆ内部の回路と間はハイインピーダンスとなり、電気的に絶縁される構成になっている。一方、操作入力部１０ｉから所定の電圧信号を入力されると、ＧＰＩＯ端子Ｃ１を制御してＧＰＩＯ端子Ｃ１をローレベルを入力する。より具体的には、マイコン１０ｆはＧＰＩＯ端子Ｃ１をグランドと短絡するなどして、ＧＰＩＯ端子Ｃ１にグランド電圧を供給する。これにより、信号線Ｌ１にいかなる電圧が入力されていようとも信号線Ｌ１の電圧はグランド、即ちローレベルとなり、ライトプロテクト端子Ｃ２もローレベルとなる。このローレベルの電圧信号が書換許可信号に、ハイレベルの電圧信号が書換不可信号をそれぞれ構成する。
【００３６】
ここでハイレベルとは、ＥＤＩＤＲＯＭ１０ｇのライトプロテクト端子Ｃ２がハイレベルと認識する電圧であり、所定の閾値より高い電圧を意味し、ローレベルとはＥＤＩＤＲＯＭ１０ｇのライトプロテクト端子Ｃ２がローレベルと認識する電圧であり、所定の閾値より低い電圧を意味する。
【００３７】
ＥＤＩＤＲＯＭ１０ｇは、ライトプロテクト端子１０ｇに印加される電圧により、ＤＤＣ端子Ｃ４を介してのＥＤＩＤ書換の可否を決定する。即ち、ライトプロテクト端子Ｃ２がハイレベルのときは、ＥＤＩＤＲＯＭ１０ｇはＤＤＣ端子Ｃ４を介した通信においてＥＤＩＤ読み取りのみ許可する状態となり、ＥＤＩＤの書き込みおよび書換は不可とする（書換不可状態）。この書換不可状態では、ＤＤＣ端子Ｃ４にＥＤＩＤの書換を指示する信号が入力されてもＥＤＩＤが書き換えられることは無い。一方、ライトプロテクト端子Ｃ２がローレベルのときは、ＥＤＩＤＲＯＭ１０ｇはＤＤＣ端子Ｃ４を介した通信においてＥＤＩＤの読み取りのみならず書き込みや書換も許可する状態となる（書換許可状態）。この書換許可状態では、ＤＤＣ端子Ｃ４にＥＤＩＤの書換を指示する信号が入力されると、指示に従ってＥＤＩＤが書き換えられる。
【００３８】
ＨＤＭＩコネクタ１０ｈのＤＤＣ端子Ｃ３（ＤＤＣクロックおよびＤＤＣデータ）には、ＨＤＭＩケーブルを介してＥＤＩＤ書換機器４０が接続される。このＥＤＩＤ書換機器４０としては、ＥＤＩＤ書換プログラムを実行可能なＰＣでもよいし、ＥＤＩＤ書換専用の機器であってもよく、ＥＤＩＤデータを生成してＤＤＣの通信フォーマットに従ってＥＤＩＤデータを出力可能であればいかなる機器であっても構わない。ＨＤＭＩケーブルからＤＤＣ端子Ｃ３に入力されたＥＤＩＤデータは、ＩＩＣバス１０ｊを通してＥＤＩＤＲＯＭ１０ｇのＤＤＣ端子Ｃ４に入力される。
【００３９】
以上の構成により、ＥＤＩＤをどのように書き換えるかを説明する。
まず、ユーザが操作入力部１０ｉのディップスイッチを切り換える前は、信号線Ｌ１にはハイレベルの電圧ラインから抵抗Ｒを介してハイレベルの電圧が供給されており、ライトプロテクト端子Ｃ２もハイレベルになっている。即ち、ＥＤＩＤＲＯＭ１０ｇは書換不可状態となっている。
【００４０】
次に、ユーザが操作入力部１０ｉでディップスイッチを切り換えて、マイコン１０ｆに所定の電圧信号を出力する。するとマイコン１０ｆがこの所定の電圧信号を解釈して、ＧＰＩＯ端子Ｃ１をグランドと短絡してローレベルにする。すると信号線Ｌ１およびライトプロテクト端子Ｃ２もローレベルに引き込まれて、ＥＤＩＤＲＯＭ１０ｇがＥＤＩＤ書換許可状態になる。
【００４１】
そこで、ＨＤＭＩコネクタ１０ｈとＥＤＩＤ書換機器４０とをＨＤＭＩケーブルにて接続し、ＥＤＩＤ書換機器４０でＥＤＩＤ書換プログラムを実行し、所望のＥＤＩＤデータを作成し、作成したＥＤＩＤデータをＨＤＭＩケーブルを通じでＥＤＩＤＲＯＭ１０ｇに送出する。必要であれば制御データも同時に送出する。ＥＤＩＤデータをＥＤＩＤ書換機器４０から入力されたＥＤＩＤＲＯＭ１０ｇは、入力されたＥＤＩＤデータに従ってＥＤＩＤが書き換えられる。
【００４２】
そして、ＥＤＩＤ書換機器４０は、ＥＤＩＤＲＯＭ１０ｇからＥＤＩＤを取得し、ＥＤＩＤが正常に書き換えられているか否かを判断する。ＥＤＩＤが正常書き換えられているときはＥＤＩＤ書換プログラムを終了し、ＥＤＩＤが正常に書き換えられていないときは彩度ＥＤＩＤの書換を試みる。
【００４３】
ＥＤＩＤ書換が終了すると、操作入力部１０ｉのディップスイッチを元の位置に切り換えて、マイコン１０ｆに出力していた所定の電圧信号を停止させる。するとマイコン１０ｆはＧＰＩＯ端子Ｃ１とグランドとの短絡を解除する。従って、信号線Ｌ１には再びハイレベルの電圧ラインからハイレベルの電圧が供給されてハイレベルになる。そしてライトプロテクト端子Ｃ２もハイレベルとなり、ＥＤＩＤ書換不可状態となる。その後、ＨＤＭＩコネクタ１０ｈからＨＤＭＩケーブルを取り外してＥＤＩＤの書換を終了する。
【００４４】
以上より、テレビジョン１０のセットを分解したり、ジャンパを接続したりすること無く、セットの外部からディップスイッチの切り換えとＨＤＭＩケーブルの接続、およびＥＤＩＤ書換機器４０の操作のみでＥＤＩＤ書換を行うことが可能となる。
【００４５】
（３）まとめ： 
つまり、ライトプロテクト端子Ｃ２にはハイレベルの電圧ラインに接続されている抵抗Ｒからハイレベルの電圧（Ｈ）が供給されてＥＤＩＤ書換不可状態になっている。ここでマイコン１０ｆが操作入力部１０ｉから上記所定の操作入力信号を受け付けると、ＧＰＩＯ端子Ｃ１を介してライトプロテクト端子Ｃ２にローレベルの電圧信号を出力してＥＤＩＤＲＯＭ１０ｇをＥＤＩＤ書換許可状態にし、ＨＤＭＩコネクタ１０ｈのＤＤＣ端子Ｃ４を介して入力されるＥＤＩＤデータによりＥＤＩＤＲＯＭ１０ｇのＥＤＩＤが書き換えられる。これにより、ＥＤＩＤＲＯＭのＥＤＩＤに不具合がある場合に、セットの分解などを伴わずにＨＤＭＩコネクタ１０ｈと操作入力部１０ｉとを介してＥＤＩＤ書換作業を行うことが出来るようになる。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４７】
【図１】テレビジョンと映像信号再生装置の概略構成を示すブロック図である。
【図２】ＥＤＩＤ書換回路とＥＤＩＤＲＯＭを書き換えるＥＤＩＤ書換機器との接続関係を示すブロック図である。
【図３】従来のＥＤＩＤ書換を説明するブロック図である。
【図４】従来のＥＤＩＤ書換を説明する模式図である。
【符号の説明】
【００４８】
１０…テレビジョン（Sink）  １０ａ…ＴＭＤＳレシーバ  １０ｂ…ビデオデコーダ  １０ｃ…ディスプレイ  １０ｄ…オーディオデコーダ  １０ｅ…スピーカ  １０ｆ…マイコン  １０ｇ…ＥＤＩＤＲＯＭ  １０ｈ…ＨＤＭＩコネクタ  １０ｉ…操作入力部  １０ｊ…ＩＩＣバス
２０…映像信号再生装置（Source）  ２０ａ…信号再生部  ２０ｂ…ＡＶエンコーダ  ２０ｃ…ＴＭＤＳトランスミッタ  ２０ｄ…ＨＤＭＩコネクタ  ２０ｅ…マイコン
３０…ＨＤＭＩケーブル  ３０ａ…ＴＭＤＳライン  ３０ｂ…ＤＤＣライン
４０…ＥＤＩＤ書換機器  ５０…ＥＤＩＤ書換回路
Ｃ１…ＧＰＩＯ端子  Ｃ２…ライトプロテクト端子  Ｃ３…ＤＤＣ端子  Ｃ４…ＤＤＣ端子  Ｌ１…信号線  Ｌ２…信号線  Ｒ…抵抗
１…テレビジョン  １ａ…コネクタ  １ｂ…フロントキャビネット  １ｃ…リアキャビネット  ２…ＥＤＩＤＲＯＭ  ２ａ…ライトプロテクト端子  ２ｂ…ＤＤＣ端子  ３…抵抗  ４…ジャンパ端子  ５…ＥＤＩＤ書換機器
【図１】
2008109219.tif 000003
【図２】
2008109219.tif 000004
【図３】
2008109219.tif 000005
【図４】
2008109219.tif 000006